(57)【要約】【課題】    既存の空調機器でも良好な吸排気効率を維持したまま、スペース効率良く配置出来、外観品質を向上させることが出来る建物の床下内空調機器配設構造を提供する。【解決手段】  ユニット建物１０の外周縁１０ｂに沿ったベタ基礎１３に、離間配置される少なくとも一対の立ち上がり部１４，１４が設けられている。  この立ち上がり部１４，１４間に、床下に設けられた汎用室外機１６の吸排気を行う開口部１７が形成されて、開口部１７から屋外に臨ませて汎用室外機１６を設置する空調機器設置スペース１８が、開口部１７と連設されて、外壁部１２の下方に設けられている。【選択図】図１
2006022988.tif 000002
【特許請求の範囲】
【請求項１】
建物の外周縁に沿った基礎に、離間配置される少なくとも一対の立ち上がり部を設け、
該立ち上がり部間に、床下に設けられた空調機器の吸排気を行う開口部が形成されて、該
開口部から屋外に臨ませて空調機器を設置する空調機器設置スペースを、該開口部と連設
したことを特徴とする建物の床下内空調機器配設構造。
【請求項２】
前記開口部から連設される前記空調機器設置スペースを、該開口部を残して区画部材に
よって、区画することにより、屋外側から該開口部を介して前記空調機器を該空調機器設
置スペース内に配設可能とすることを特徴とする請求項１記載の建物の床下内空調機器配
設構造。
【請求項３】
前記基礎を凹状に形成することにより、前記空調機器設置スペースの底面部を、建物の
屋外の地表面よりも低い位置とすることを特徴とする請求項１又は２記載の建物の床下内
空調機器配設構造。
【請求項４】
前記空調機器設置スペースに、前記空調機器を斜めに支持する斜め置き架台が設置され
ていることを特徴とする請求項１乃至３のうち何れか一項記載の建物の床下内空調機器配
設構造。 
【発明の詳細な説明】
【技術分野】
【０００１】
この発明は、建物の床下に、空調機器を設置する建物の床下内空調機器配設構造に関す
るものである。
【背景技術】
【０００２】
従来、図５又は図６に示すような空調機器としての空気調和機１の設置構造が、知られ
ている（例えば、特許文献１参照）。
【０００３】
まず、構成から説明すると、この従来の空気調和機１の設置構造では、建物２の床下３
に、室内機と室外機とが別体で構成されるセパレート型の空気調和機１を設置する設置ス
ペース４が形成されている。
【０００４】
この設置スペース４は、前記建物２の外周縁に沿って、建物２の上部構造体を支持する
基礎５の一部分に設けられている。
【０００５】
すなわち、この基礎５からは、周状を呈する布基礎部５ａが上方へ向けて一体に立設さ
れている。
【０００６】
また、この布基礎部５ａには、建物内外方向に連通するように、一部が切り欠かれて、
空気を吸排気する開口部５ｂ，５ｂが形成されている。
【０００７】
そして、これらの開口部５ｂ，５ｂに臨むように、前記空気調和機１が、前記設置スペ
ース４部分の基礎５の上面部５に載置されて設けられている。
【０００８】
この空気調和機１には、箱型のケース１ａ内部に、熱交換器１ｂ、コンプレッサ１ｃ及
び回転軸１ｅを傾斜させて配置される排気用ファン部材１ｄ等が、設けられている。
【０００９】
次に、この従来の空気調和機１の設置構造の作用について説明する。
【００１０】
この従来の空気調和機１の設置構造では、前記排気ファン部材１ｄの回転によって、前
記床下３内の空気が、前記熱交換器１ｂ内を通過し、排気口１ｆを介して、前記布基礎部
５ａに形成された開口部５ｂから屋外に排出される。
【００１１】
また、図７に示す様な室外機の装着作業性を向上させる据付枠６が、設けられている空
調機器配設構造も知られている（例えば、特許文献２参照）。
【００１２】
このようなものでは、前記空気調和器１が装着される底面部６ａに、一定の傾斜角度θ
を有して構成されるドレインパン部６ｂが形成されていて、屋外側に形成されるドレイン
排出口６ｃから、このドレインパン部６ｂに集水されたドレイン排水が、建物屋外の地表
上に排出されるように構成されている。    
【特許文献１】特開平６−１４７５５７号公報（図１乃至図３、段落００１４乃至段落００２０）
【特許文献２】実公平６−３６４２９号公報（第１図，第５図）
【発明の開示】
【発明が解決しようとする課題】
【００１３】
しかしながら、このように構成された図５，図６に示すような空気調和機１の設置構造
では、前記布基礎部５ａの一部が切り欠かれて、形成された開口部５ｂの上下方向寸法を
、床下３の高さ方向の寸法よりも、大きく設定出来ない。
【００１４】
このため、前記排気用ファン部材１ｄが、回転軸１ｅが傾斜されて構成されているよう
な特殊な形状の空気調和器１を用いなければならず、施工コストが増大してしまうといっ
た問題があった。
【００１５】
また、前記布基礎部５ａの一部が切り欠かれて、前記開口部５ｂ…が、形成されている
ので、布基礎形状を周状に形成する必要が有る在来工法の建築物では、所望の支持強度が
得にくくなる虞があるといった問題もあった。
【００１６】
更に、図７に示す様な室外機の装着作業性を向上させる据付枠６が設けられているもの
では、前記ドレイン排水が、建物屋外の地表上に排出されるので、この据付枠６のドレイ
ンパン部６ｂを地表面よりも上方に位置させなければならず、更に、前記空調機器の設置
スペースの制約が多くなってしまうといった問題があった。
【００１７】
そこで、この発明は、既存の空調機器でも良好な吸排気効率を維持したまま、スペース
効率良く配置出来、外観品質を向上させることが出来る建物の床下内空調機器配設構造を
提供することを課題としている。
【課題を解決するための手段】
【００１８】
上記目的を達成するために、本願発明の請求項１記載のものは、建物の外周縁に沿った
基礎に、離間配置される少なくとも一対の立ち上がり部を設け、該立ち上がり部間に、床
下に設けられた空調機器の吸排気を行う開口部が形成されて、該開口部から屋外に臨ませ
て空調機器を設置する空調機器設置スペースを、該開口部と連設した建物の床下内空調機
器配設構造を特徴としている。
【００１９】
また、請求項２に記載されたものは、前記開口部から連設される前記空調機器設置スペ
ースを、該開口部を残して区画部材によって、区画することにより、屋外側から該開口部
を介して前記空調機器を該空調機器設置スペース内に配設可能とする請求項１記載の建物
の床下内空調機器配設構造を特徴としている。
【００２０】
更に、請求項３に記載されたものは、前記基礎を凹状に形成することにより、前記空調
機器設置スペースの底面部を、建物の屋外の地表面よりも低い位置とする請求項１又は２
記載の建物の床下内空調機器配設構造を特徴としている。
【００２１】
そして、請求項４に記載されたものは、前記空調機器設置スペースに、前記空調機器を
斜めに支持する斜め置き架台が設置されている請求項１乃至３のうち何れか一項記載の建
物の床下内空調機器配設構造を特徴としている。
【発明の効果】
【００２２】
このように構成された請求項１記載のものは、前記基礎の一対の立ち上がり部間に、前
記開口部が形成されているので、前記空調機器の吸排気等に用いる流通断面積を、充分に
確保出来る。
【００２３】
従って、既存の空調機器でも良好な吸排気効率を維持したまま、良好なスペース効率を
発揮させる床下に、配置出来、外観品質を向上させることが出来る。
【００２４】
また、請求項２記載のものは、前記開口部から連設される前記空調機器設置スペースが
、該開口部を残して区画部材によって、区画されて、該空調機器設置スペース内に前記空
調機器を設置することにより、外部から更に視認しにくい。
【００２５】
このため、更に、外観品質を良好なものとすることができる。
【００２６】
また、屋外側から前記開口部を介して、前記空調機器が、該空調機器設置スペース内に
配設可能であるので、上部の建物本体を設置後でも、床板等を取り外す等の必要が無く、
該空調機器を、前記空調機器設置スペース内に配置したり、メンテナンスの為に取り出し
たりすることが容易に可能である。
【００２７】
更に、請求項３に記載されたものは、前記空調機器設置スペースの底面部が、建物の屋
外の地表面よりも低い位置となるように、前記基礎が凹状に形成されている。
【００２８】
このため、更に、該空調機器設置スペースの高さ方向寸法を増大させることが出来、例
えば、汎用の縦置き空調機器を縦置きのまま、設置することもできる。
【００２９】
また、請求項４に記載されたものは、前記斜め置き架台によって、前記空調機器が斜め
に支持されて、前記空調機器設置スペース内に設置される。
【００３０】
このため、前記空調機器設置スペースに充分な高さ方向寸法が確保出来ない場合でも、
汎用の空調機器を吸排気効率を減少させることなく、斜めに設置して用いることができる
。  従って、施工コストの増大を抑制しつつ、良好なスペース効率を得られ、例えば、前
記従来のように、回転軸が傾斜されて構成されているような特殊な形状の空気調和器を用
いる必要も無くなり、この点においても、施工コストの増大が抑制される。
【発明を実施するための最良の形態】
【００３１】
次に、図面に基づいて、この発明を実施するための最良の実施の形態の建物の床下内空
調機器配設構造を説明する。
【００３２】
なお、前記従来例と同一乃至均等な部分については、同一符号を付して説明する。
【００３３】
図１乃至図４は、この発明の最良の実施の形態の建物の床下内空調機器配設構造を示し
ている。
【００３４】
まず、この実施の形態の構成を説明すると、この実施の形態では、図１又は図２に示す
ように、建物としてのユニット建物１０の上部構造体１０ａが、床部１１と、この床部１
１の周縁に設けられた外壁部１２とを有して、地表Ｇと略面一の上面部１３ａを有するベ
タ基礎１３によって、下方から支持されている。
【００３５】
このベタ基礎１３の上面部１３ａからは、離間配置される複数の柱状の立ち上がり部１
４…が一体に突設形成されていて、これらの立ち上がり部１４…によって、前記ユニット
建物１０の構造部材等の高剛性を有する部分が、下方から支持されている。
【００３６】
このうち、前記ユニット建物１０の外周縁１０ｂに沿った部分に設けられた一対の立ち
上がり部１４，１４間には、床下空間部１５に設けられた空調機器としてのセパレート型
の汎用室外機１６の吸排気を行う開口部１７が形成されている。
【００３７】
この開口部１７は、この開口部１７から屋外に臨ませて、汎用室外機１６を設置する空
調機器設置スペース１８と連設されていて、前記外壁部１２の下方に位置するように設け
られている。
【００３８】
更に、この実施の形態の汎用室外機１６は、略箱型のケース部材１６ａ内部に、コンプ
レッサ装置１６ｅ及び吸排気ファン部材１６ｂ等が内蔵されていて、この吸排気ファン部
材１６ｂの回転によって、前記空調機器設置スペース１８内の空気が、前記熱交換器１６
ｃ内を通過し、排気口１６ｄを介して、前記開口部１７から屋外に排出されるように構成
されている。
【００３９】
また、この空調機器設置スペース１８は、前記開口部１７を残して、板状の区画部材１
９〜２１によって、後面、左，右側面及び上面が各々仕切られて区画されている。
【００４０】
そして、屋外側からこの開口部１７を介して、前記汎用室外機１６が、この空調機器設
置スペース１８内に、介装されて配設されたり或いは、取り外せるように、挿抜可能な大
きさを有して構成されている。
【実施例１】
【００４１】
図３は、この発明の最良の実施の形態の実施例１の建物の床下内空調機器配設構造の構
成を示すものである。
【００４２】
この実施例１では、前記外周縁１０ｂ下方に位置する空調機器設置スペース１８内のベ
タ基礎１３の上面部１３ａには、屋外側に向かって傾斜する傾斜面部１３ｂが形成されて
いる。
【００４３】
この傾斜面部１３ｂの上面部には、前記汎用室外機１６を、前記吸排気ファン１６ｂ装
着面が上方を向いて、斜めに支持されるように、ケース部材１６ａの一側縁下面部１６ｆ
に下方から、上縁部２２ａを当接させて支持する斜め置き架台２２が設置されている。
【００４４】
また、前記開口部１７には、斜行ルーバ２３ａ…が一定間隔で、設けられた格子ガラリ
部材２３が、ブラケット部材２３ｂ，２３ｃ等を介して取り付けられて嵌着されている。
【００４５】
更に、この実施例１では、前記区画部材１９〜２１の周囲に、断熱材２４…，２５…及
び２６が、貼設されている。
【００４６】
そして、前記ユニット建物１０の上部構造体１０ａは、外周縁１０ｂに沿って、配設さ
れる前記構造部材としての金属製フレーム枠体２７の内側に前記床部１１の梁材１１ａ…
及び複数の根太材１１ｂ…が、一定間隔で配置されて、平板状の床板材１１ｃが下方から
支持されるように構成されている。
【００４７】
また、前記外壁部１２には、この金属製フレーム枠体２７の外側に、平板状を呈して外
表面側に装飾模様が施された外壁ボード１２ａが貼設されると共に、下縁部に設けられた
水切り部材２８によって、前記立ち上がり部１４の上部１４ａが、一部覆われる様に構成
されている。
【００４８】
次に、この実施例１の建物の床下内空調機器配設構造の作用について説明する。
【００４９】
この実施例１では、前記汎用室外機１６の吸排気ファン部材１６ｂの回転駆動によって
、前記開口部１７から前記換気ガラリ２３の斜行ルーバ２３ａ，２３ａ間を通過して、屋
外側の空気が、空調機設置スペース１８内に導入され、吸気として、前記熱交換器１６ｃ
内を通過して排気口１６ｄから排気される。
【００５０】
この排気は、再び、前記開口部１７の前記換気ガラリ２３の斜行ルーバ２３ａ，２３ａ
間を通過して、屋外に排出されて熱交換が行われる。
【００５１】
この実施例１では、前記ベタ基礎１３の一対の立ち上がり部１４，１４間に、前記開口
部１７が形成されている。
【００５２】
また、これらの立ち上がり部１４，１４の間隔は、前記ユニット建物１０の高剛性を有
する上部構造体１０ａを下方から支持可能な間隔まで、拡開させて設定出来、従来のよう
に布基礎部５ａの一部が切り欠かれて、前記開口部５ｂ…が形成されているものに比して
、大きく設定できる。
【００５３】
更に、前記汎用室外機１６の吸排気等に用いる流通断面積を、最大で、これらの立ち上
がり部１４，１４の対向する内側面間の横幅方向寸法まで拡開出来ると共に、上下方向寸
法も、前記ベタ基礎１３の上面部１３ａから外壁部１２若しくは金属製フレーム枠体２７
の下端縁まで拡開出来る。
【００５４】
このため、図２に示されるように、前記左，右に一対の断熱材２５，２５或いは区画部
材１９，１９を設けたり、図３に示すように、格子ガラリ２３や取付のためのブラケット
部材２３ｂ，２３ｃ等を配設しても、流通断面積を充分に確保出来る。
【００５５】
従って、既存の空調機器である汎用室外機１６も良好な吸排気効率を維持したまま、良
好なスペース効率を発揮させる床下に、配置出来、外観品質を向上させることが出来る。
【００５６】
また、前記開口部１７から連設される前記空調機器設置スペース１８が、この開口部１
７を残して区画部材によって、区画されて、この空調機器設置スペース１８内に前記汎用
室外機１６を設置することにより、外部から更に視認しにくい。
【００５７】
このため、更に、外観品質を良好なものとすることができる。
【００５８】
更に、この実施例１では、前記区画部材１９〜２１の周囲に、断熱材２４…，２５…及
び２６が、貼設されている。
【００５９】
このため、断熱性及び静音性を更に向上させることができる。
【００６０】
また、屋外側から前記開口部１７を介して、前記汎用室外機１６を挿抜して、この空調
機器設置スペース１８内に配設する等の作業が可能であるので、上部のユニット建物１０
の上部構造体１０ａを設置した後でも、床板等を取り外す等の必要が無く、この汎用室外
機１６を、前記空調機器設置スペース１８内に配置したり、メンテナンスの為に取り出し
たりすることが容易に可能である。
【００６１】
そして、この実施例１では、前記斜め置き架台２２によって、前記汎用室外機１６が斜
めに支持されて、前記空調機器設置スペース１８内に設置される。
【００６２】
このため、前記汎用室外機１６の吸排気ファン１６ｂが形成されている側面と、前記空
調機器設置スペース１８の上面側の区画部材との間に、吸気が充分に行える間隙量が確保
されると共に、排気口１６ｄが形成されている側面と、前記ベタ基礎１３の上面部１３ａ
との間に、排気が充分に行える間隙量が確保される。
【００６３】
従って、前記空調機器設置スペース１８に充分な高さ方向寸法が確保出来ない場合でも
、前記汎用室外機１６を吸排気効率を減少させることなく、床下空間部１５を利用して斜
めに設置して用いることができる。
【００６４】
よって、施工コストの増大を抑制しつつ、良好なスペース効率を得られ、例えば、前記
従来のように、回転軸が傾斜されて構成されているような特殊な形状の空気調和器を用い
る必要も無く、汎用室外機１６を用いることが出来、この点においても、施工コストの増
大が抑制される。
【００６５】
また、この実施例１では、空調機器設置スペース１８内のベタ基礎１３の上面部１３ａ
に、屋外側に向かって傾斜する傾斜面部１３ｂが形成されている。
【００６６】
この傾斜面部１３ｂは、前記ベタ基礎１３を構築する際に、容易に形成できるので、従
来のように、別部材で取付枠６を設ける必要も無い。
【００６７】
このため、部品点数の増大を抑制して、この点においても、施工コストの増大が抑制さ
れる。
【実施例２】
【００６８】
図４は、この発明の実施の形態の実施例２の建物の床下内空調機器配設構造を示すもの
である。
【００６９】
なお、前記実施の形態及び実施例１と同一乃至均等な部分については、同一符号を付し
て説明する。
【００７０】
この実施例２の建物の床下内空調機器配設構造では、基礎３３が凹状に形成されること
により、空調機器設置スペース１１８の底面部としての上面部３３ａが、前記ユニット建
物１０の屋外の地表面Ｇよりも低い位置となるように構成されている。
【００７１】
この上面部３３ａには、屋外側に向かって傾斜する傾斜面部３３ｂが形成されている。
【００７２】
そして、この傾斜面部３３ｂの上面に、前記汎用室外機１６が縦置きに立設されて設置
されている。
【００７３】
この空調機器設置スペース１１８は、開口部１１７を介して、屋外側空間と連通されて
いる。
【００７４】
すなわち、この開口部１１７は、前記地表Ｇの高さ位置を挟んで、上部開口部１１７ａ
及び下部開口部１１７ｂに大きく２分割されていて、これらの両上部開口部１１７ａ及び
下部開口部１１７ｂに跨って嵌着される格子ガラリ部材１２３を介して、前記上部開口部
１１７ａは、前記地表Ｇより上方の屋外空間と吸排気可能に連通されている。
【００７５】
また、前記下部開口部１１７ｂは、前記ユニット建物１０の外構を形成する雨水桝１２
０の内部空間１２１に、前記汎用室外機１６のドレイン排水を流下させるように連通され
ている。
【００７６】
この雨水桝１２０の上面部には、前記地表Ｇの高さと略同じ高さ位置に、上方を開放す
る上面開口１２０ａが形成されていると共に、この上面開口１２０ａの周縁１２０ｂに係
止されて、グレーチングガラリ蓋部材１２２が、係脱可能に装着されている。
【００７７】
また、この雨水桝１２０の底面部の高さは、前記傾斜面部３３ｂの上面部３３ａの高さ
位置よりも低くなるように設定されていて、想定される排水が、この雨水桝１２０内に流
れ込んでも、前記上面部３３ａの高さ位置を上回る水位となることが無いように構成され
ている。
【００７８】
次に、この実施例２の建物の床下内空調機器配設構造の作用について説明する。
【００７９】
この実施例２では、前記汎用室外機１６の吸排気ファン部材の回転駆動によって、前記
開口部１１７に設けられた前記換気ガラリ１２３を通過して、屋外側の空気が、空調機設
置スペース１１８内に導入される。
【００８０】
また、前記汎用室外機１６の熱交換器等を通過した排気は、再び前記開口部１１７に設
けられた換気ガラリ１２３を通過して、屋外側に排気される。
【００８１】
この際、前記開口部１１７のうち、上部開口部１１７ａを介して、屋外側に排気された
空気は、直接、屋外の大気中に放出されると共に、前記下部開口部１１７ｂを介して、雨
水桝１２０の内部空間１２１に排気された空気は、前記グレーチングガラリ蓋体１２２に
複数形成された連通細孔等を介して、屋外の大気中に放出される。
【００８２】
このため、開口部１１７では、前記地表Ｇの高さ位置を挟んで、上，下に位置する上部
開口部１１７ａ及び下部開口部１１７ｂを合わせた広い面積で、吸排気に用いる流通断面
積を得られて、熱交換効率等を減少させる虞が無い。
【００８３】
更に、前記空調機器設置スペース１１８の底面部を構成する基礎３３の上面部３３ａが
、建物の屋外の地表Ｇ面よりも低い位置となるように、前記基礎３３が凹状に形成されて
いる。
【００８４】
このため、更に、前記空調機器設置スペース１１８の高さ方向寸法を増大させることが
出来、例えば、汎用の縦置き空調機器である汎用室外機１６を一般的に用いられる設置方
向である縦置きのまま、設置することもできる。
【００８５】
また、この実施例１の空調機器設置スペース１１８部分を構成する凹部は、基礎３３を
構築する際に、容易に形成できる。
【００８６】
しかも、基礎３３のコンクリートによって囲まれているので、この空調機器設置スペー
ス１１８内部に、地中の湿気が浸入しにくい。
【００８７】
更に、この基礎３３の上面部３３ａには、屋外側に向かって傾斜する傾斜面部３３ｂが
形成されていて、この傾斜面部３３ｂの上面に設置される前記汎用室外機１６のドレイン
排水を、前記下部開口部１１７ｂを介して、前記雨水桝１２０の内部空間１２１内に、流
下させる。
【００８８】
また、ドレイン排水と、前記グレーチングガラリ蓋体１２２に複数形成された連通細孔
等を介して、流入する雨水との合計となる想定される水量が、この雨水桝１２０内に流れ
込んでも、前記上面部３３ａの高さ位置を上回る水位となることが無く、空調機器設置ス
ペース１１８方向に、雨水桝１２０内の水が逆流する虞が少ない。
【００８９】
このため、基礎３３の上面部３３ａの水はけ性が良好で、更に、汎用室外機１６の耐久
年数を増大させることができる。
【００９０】
以上、図面を参照して、本発明の実施の形態及び実施例１，２を詳述してきたが、具体
的な構成は、この実施の形態及び実施例１，２に限らず、本発明の要旨を逸脱しない程度
の設計的変更は、本発明に含まれる。
【００９１】
すなわち、前記実施の形態及び実施例１では、基礎としてベタ基礎１３を用いたものを
示して説明してきたが、特にこれに限らず、例えば、別体で形成された独立基礎の束部等
、立ち上がり部が、離間配置されて構築されるものであるならばよい。
【００９２】
更に、この実施例１，２では、建物として、金属製フレーム枠体２７を有するユニット
建物１０を用いて説明してきたが、例えば、木質系のユニット建物や他のプレハブ建物で
あっても、構造部材に高剛性を有する部分が存在し、この部分を離間配置された少なくと
も一対の立ち上がり部で支持可能なものであるならば、建物の形状、建物ユニットの数量
、及び基礎の形状等が、特に限定されるものではない。
【図面の簡単な説明】
【００９３】
【図１】この発明の実施の形態の建物の床下内空調機器配設構造で、要部の構成を説明する模式的な床下の縦断面図である。
【図２】この発明の実施の形態の建物の床下内空調機器配設構造で、空調機器設置スペース内に斜め配置された汎用室外機を説明する模式的な断面図である。
【図３】この発明の実施の形態の実施例１の建物の床下内空調機器配設構造で、要部の構成を説明する拡大断面図である。
【図４】この発明の実施の形態の実施例２の建物の床下内空調機器配設構造で、要部の構成を説明する拡大断面図である。
【図５】一従来例の空調機器配設構造で、要部の構成を説明する床下の縦断面図である。
【図６】一従来例の空調機器配設構造で、建物の基礎部分での水平断面図である。
【図７】他の従来例の空調機器配設構造に用いる据付枠の構成を説明する斜視図である。
【符号の説明】
【００９４】
１０          ユニット建物（建物）
１０ａ        上部構造体
１０ｂ        外周縁
１３          ベタ基礎（基礎）
１４          立ち上がり部
１６          汎用室外機（空調機器）
１７，１１７  開口部
１８，１１８  空調機器設置スペース
１９〜２１    区画部材
２２          斜め置き架台
３３          基礎
３３ａ        上面部（空調機器設置スペースの底面部）
Ｇ            地表
【図１】
2006022988.tif 000003
【図２】
2006022988.tif 000004
【図３】
2006022988.tif 000005
【図４】
2006022988.tif 000006
【図５】
2006022988.tif 000007
【図６】
2006022988.tif 000008
【図７】
2006022988.tif 000009